(57)【要約】【課題】撮像素子及び実装基板を効率的に冷却させるとともに小型化が可能なレンズユニットを提供する。【解決手段】レンズ鏡筒４内に、フォーカスレンズユニット２８と、仕切板４０とを設ける。レンズ鏡筒４内は、第１空間４３、第２空間４４、第３空間４５に分けられる。鏡筒本体２０に、第１空間４３と第２空間４４を連通させる第１通路４６と、第２空間４４と第３空間４５とを連通させる第２通路４７を設ける。フォーカスレンズユニット２８の移動に伴い、第２空間４４に空気の流れが生じ、ＣＣＤ２５が冷却される。【選択図】        図２
2006267793.tif 000002
【特許請求の範囲】
【請求項１】
撮像素子を内蔵しカメラ本体に着脱自在なレンズ鏡筒において、
光軸方向に移動自在な移動レンズユニットと、
前記移動レンズユニットよりも後方で前記撮像素子を保持するとともに、前記移動レンズユニットと鏡筒本体後壁部との間の空間を光軸に対して略垂直に仕切る仕切板と、
前記移動レンズユニットと前記仕切板との間の第１空間、及び前記仕切板と前記後壁部との間の第２空間を連通させる第１通路とを備え、
前記移動レンズユニットの移動に伴い前記第１通路を介して前記第２空間に空気の流れを生じさせることを特徴とするレンズ鏡筒。
【請求項２】
前記移動レンズユニットの前方に配置された固定レンズと、
前記固定レンズと前記移動レンズユニットとの間の第３空間、及び前記第２空間を連通させる第２通路とを備えたことを特徴とする請求項１記載のレンズ鏡筒。
【請求項３】
前記第１及び第２通路は鏡筒本体の内部に形成されていることを特徴とする請求項２記載のレンズ鏡筒。
【請求項４】
前記第１通路は仕切板に形成された通気孔であり、前記第２通路は鏡筒本体の外周面に螺旋状に巻かれ端部が各空間に接続された放熱管であることを特徴とする請求項２記載のレンズ鏡筒。
【請求項５】
レンズ鏡筒外部の空間及び前記第２空間を連通させる第２通路を備えたことを特徴とする請求項１記載のレンズ鏡筒。
【請求項６】
前記第１通路は仕切板に形成された通気孔であり、前記第２通路は鏡筒本体に形成された通気孔であることを特徴とする請求項５記載のレンズ鏡筒。
【請求項７】
前記第２空間には、前記撮像素子からの出力信号を処理する回路が実装された実装基板が前記撮像素子の後方に位置するように設けられており、前記撮像素子の後面及び前記実装基板の前面に接触する放熱フィンが設けられていることを特徴とする請求項１ないし６いずれか１項記載のレンズ鏡筒。
【発明の詳細な説明】
【技術分野】
【０００１】
本発明は、撮像素子を内蔵しカメラ本体に着脱自在なレンズ鏡筒に関する。
【背景技術】
【０００２】
ＣＣＤなどの撮像素子を用いて撮像した撮影画像をデジタルの画像データに変換し、内蔵メモリやメモリカードなどの記録媒体に記録するデジタルカメラが普及している。デジタルカメラの中には、各種レンズを交換して好みに応じた撮影を行うレンズ交換式のものがある。レンズ交換式のデジタルカメラは、カメラ本体とレンズ鏡筒とから構成されるが、カメラ本体側に撮像素子を内蔵するのが一般的であった。この場合、レンズ鏡筒装着時に、カメラ本体の撮像素子とレンズ鏡筒のレンズ群とを光学的に接続する必要があり、例えばバックフォーカス調節が必要とされることがあるため、不慣れな者にとっては取り扱いが難しいという問題があった。
【０００３】
レンズ交換式のデジタルカメラの取り扱いを容易にするため、レンズ鏡筒側に撮像素子を内蔵するものが知られている。この場合には、カメラ本体とレンズ鏡筒とを光学的に接続する必要がなくなり、電気的に接続するだけでよくなるため、誰にでもレンズ鏡筒装着作業が簡単になる。また、カメラ本体側に撮像素子を内蔵するタイプのものでは、カメラ本体内へ塵埃が侵入して撮像素子に付着する問題があったが、レンズ鏡筒側に撮像素子を内蔵するタイプのものでは、レンズ鏡筒を密閉構造とすることにより前記問題を解決することができる。しかしながら、レンズ鏡筒側に撮像素子を内蔵するタイプのものでは、レンズ鏡筒内の狭い空間に、撮像素子や、この撮像素子を駆動する回路などが配置されるため、冷却効率が悪く、熱により、各部の性能が低下するなどの悪影響が及ぼされる。特に、撮像素子からの出力信号を処理する回路を配置する場合には、熱源が密集してより冷却効率が悪くなる。このため、レンズ鏡筒内に配置した撮像素子や実装基板を効率的に冷却させる必要がある。
【０００４】
従来より、装置内で発熱した部位を冷却する技術が提案されている。特許文献１には、半導体レーザ光により固体レーザ素子を励起するレーザ装置が記載されており、装置本体に放熱フィンを設けている。特許文献２には、レンズ鏡筒が突出して設けられるカメラが記載されており、発熱する部品をレンズ鏡筒の側方に配置し、発熱する部品に放熱板を取り付けている。特許文献３には、内視鏡に着脱自在な内視鏡用外付テレビカメラが記載されており、発熱する固体撮像素子の背面側に、送風機構を設けている。
【特許文献１】特開平８−１６７７５１号公報
【特許文献２】特開２００２−１１２０８２号公報
【特許文献３】特開平５−３４６０５号公報
【発明の開示】
【発明が解決しようとする課題】
【０００５】
しかしながら、特許文献１及び特許文献２に記載された技術では、放熱フィンや放熱板を取り付けるだけであり、積極的に空気の流れを生じさせているわけではないため、冷却効率が充分に高くならない。また、特許文献３では、固体撮像素子の冷却のためだけの送風機構を設けているが、装置内に送風機構を設置するスペースを確保しなければならず、装置が大型化してしまう。
【０００６】
本発明では、内蔵する撮像素子を効率的に冷却するとともに小型化が可能なレンズ鏡筒を提供することを目的とする。
【課題を解決するための手段】
【０００７】
本発明は、撮像素子を内蔵しカメラ本体に着脱自在なレンズ鏡筒に関し、光軸方向に移動自在な移動レンズユニットと、前記移動レンズユニットよりも後方で前記撮像素子を保持するとともに、前記移動レンズユニットと鏡筒本体の後壁部との間の空間を光軸に対して略垂直に仕切る仕切板と、前記移動レンズユニットと前記仕切板との間の第１空間、及び前記仕切板と前記後壁部との間の第２空間を連通させる第１通路とを備え、前記移動レンズユニットの移動に伴い前記第１通路を介して前記第２空間に空気の流れを生じさせることを特徴とする。
【０００８】
前記移動レンズユニットの前方に配置された固定レンズと、前記固定レンズと前記移動レンズユニットとの間の第３空間、及び前記第２空間を連通させる第２通路とを備えることが好ましい。前記第１及び第２通路は鏡筒本体の内部に形成されていることが好ましい。前記第１通路は仕切板に形成された通気孔であり、前記第２通路は鏡筒本体の外周面に螺旋状に巻かれ端部が各空間に接続される放熱管であることとしてもよい。
【０００９】
レンズ鏡筒外部の空間及び前記第２空間を連通させる第２通路を備えることが好ましい。前記第１通路は仕切板に形成された通気孔であり、前記第２通路は鏡筒本体に形成された通気孔であることが好ましい。
【００１０】
前記第２空間には、前記撮像素子からの出力信号を処理する回路が実装された実装基板が前記撮像素子の後方に位置するように設けられており、前記撮像素子の後面及び前記実装基板の前面に接触する放熱フィンが設けられていることが好ましい。
【発明の効果】
【００１１】
本発明のレンズ鏡筒によれば、光軸方向に移動自在な移動レンズユニットと、移動レンズユニットよりも後方で撮像素子を保持するとともに移動レンズユニットと鏡筒本体の後壁部との間の空間を光軸に対して略垂直に仕切る仕切板と、移動レンズユニットと仕切板との間の第１空間及び仕切板と後壁部との間の第２空間を連通させる第１通路とを備え、移動レンズユニットの移動に伴い第１通路を介して第２空間に空気の流れを生じさせるので、撮像素子の後方に空気の流れを生じさせて撮像素子の熱を分散させ、撮像素子を効率的に冷却することができる。また、移動レンズユニットを第２空間に空気の流れを生じさせる駆動源とすることができるため、新たな駆動源を設ける必要がなく、レンズ鏡筒の大型化を抑えることができる。
【００１２】
移動レンズユニットの前方に固定レンズを配置し、固定レンズと移動レンズユニットとの間の第３空間及び第２空間を連通させる第２通路を備えるので、移動レンズユニットが後方向に移動したときには、第１通路を介して第２空間に空気が流入しするとともに第２通路を介して第２空間から空気が流出し、移動レンズユニットが前方向に移動したときには、第２通路を介して第２空間に空気が流入するとともに第１通路を介して第２空間から空気が流出することとなる。これにより、第２空間の空気の流れがスムーズになり、冷却効率が高くなる。
【００１３】
第１及び第２通路を鏡筒本体の内部に形成する場合には、熱せられた空気が各通路を通過するときに鏡筒外部へ熱が逃がされることになり、冷却効率が高められる。また、冷却のための機構が外部に露出せず、レンズ鏡筒をデザイン性に優れたものとすることができる。
【００１４】
第２通路を放熱管とする場合には、熱せられた空気が放熱管を通過するときに放熱管から外部へ熱が逃がされるため、冷却効率がより高められる。
【００１５】
レンズ鏡筒外部の空間及び第２空間を連通させる第２通路を備える場合には、熱せられた空気が直接にレンズ鏡筒外部へ放出されるため、冷却効率がより高められる。
【００１６】
第２空間に、撮像素子からの出力信号を処理する回路が実装された実装基板を撮像素子の後方に位置するように設け、撮像素子後面及び実装基板の前面に接触する放熱フィンを設ける場合には、撮像素子及び実装基板の熱は、放熱フィンを介して効率よく第２空間の空気に伝達されるため、撮像素子及び実装基板はより効率的に冷却される。レンズ鏡筒内に撮像素子からの出力信号を処理する回路が実装された実装基板を設けることにより、レンズ鏡筒からカメラ本体に送るデータ量が少なくなるため、レンズ鏡筒とカメラ本体とのデータ通信時間を少なくすることができる。通気孔を、透湿防水性を有するシートで覆うことで、レンズ鏡筒内の湿度を適度に保つとともに、レンズ鏡筒内に水が浸入しないようにすることができる。
【発明を実施するための最良の形態】
【００１７】
［第１実施形態］
図１に示すように、カメラシステム２は、カメラ本体３とレンズ鏡筒４とから構成される。カメラ本体３にはレンズ鏡筒４が着脱自在であり、装着時にはカメラ本体３とレンズ鏡筒４とが電気的に接続される。
【００１８】
レンズ鏡筒４の後面に設けられたレンズ側マウント部５には、バヨネット爪６が形成されている。このバヨネット爪６には接続端子１５が設けられている。カメラ本体３の前面に設けられた本体側マウント部７には、バヨネット溝８が形成されている。レンズ鏡筒４をカメラ本体３に装着する際には、バヨネット爪６をバヨネット溝８に合わせた状態で押し込んでから回転させる。本体側マウント部７のロックピン９がレンズ側マウント部５の図示しないピン孔と係合すると、レンズ鏡筒４が位置決めされる。また、レンズ鏡筒４の位置決めに伴ってレンズ側マウント部５の接続端子１５が本体側マウント部７の接続端子１６（図５参照）に接続される。なお、本体側マウント部７には、前方向にバネ付勢されたマウント蓋１１が設けられており、このマウント蓋１１はレンズ鏡筒装着時にレンズ側マウント部５に押圧されて後方向に移動する。マウント蓋１１は、レンズ鏡筒非装着時にカメラ本体３内部に塵埃が侵入することを防止する役割を果たしている。
【００１９】
本体側マウント部７には、ロックピン９と連動するロック解除ボタン１０が設けられている。ロック解除ボタン１０は、レンズ鏡筒４を取り外す際に操作されるものであり、押圧することでロックピン９を後方向に移動させてロックを解除することができる。
【００２０】
カメラ本体３の上面には、撮影時に押圧操作されるレリーズボタン１２と、撮影／再生モードの切替え時に操作されるモード切替部１３とが設けられている。レリーズボタン１２は、２段押しの構造とされている。レリーズボタン１２を軽く押圧（半押し）すると、フォーカシングなどの撮影準備動作が行われる。この状態でさらに押圧（全押し）すると、撮影動作が行われる。
【００２１】
カメラ本体３の後面には、撮影画像や各種設定条件が表示されるＬＣＤ８１と、電源スイッチ８７とが設けられている（図５参照）。
【００２２】
図２に示すように、レンズ鏡筒４の鏡筒本体２０は、内筒２１と、この内筒２１の外周面に密着する外筒２２とから構成される。鏡筒本体２０の材料には金属が用いられ、例えばアルミニウムが用いられる。鏡筒本体２０には、各レンズ群２３，２４、ＣＣＤ２５、実装基板２６等が組み込まれている。外筒２２には後壁部２２ａが形成され、この後壁部２２ａによって後端が閉じられている。後壁部２２ａの後面には、前述したレンズ側マウント部５が形成されている。
【００２３】
内筒２１の前部内側（図中左部）には、レンズ２３ａ及びレンズ２３ｂからなる固定レンズ群２３が配置されている。固定レンズ群２３の外径は内筒２１の内径とほぼ同じサイズとされており、固定レンズ群２３は内筒２１の内周面を気密に塞いだ状態で固定される。
【００２４】
固定レンズ群２３の後方には、フォーカスレンズユニット２８が配置されている。フォーカスレンズユニット２８は、フォーカスレンズ群２４と、このフォーカスレンズ群２４の外周を覆うようにして保持するレンズ枠３０とから構成される。フォーカスレンズ群２４は、フォーカスレンズ２４ａ及びフォーカスレンズ２４ｂからなる。レンズ枠３０はドーナツ状に形成されており、レンズ枠３０の外径は内筒２１の内径とほぼ同じサイズにされている。
【００２５】
レンズ枠３０の下部にはガイド穴３０ａが形成され、このガイド穴３０ａは光軸に平行に配設されたガイド棒３１に嵌合している。レンズ枠３０の上部にはボールナット３２が埋め込まれて固定されており、このボールナット３２はボールネジ３３に螺合している。ボールネジ３３の前部にはギア３４が固定されており、このギア３４はギア３５と噛み合っている。ギア３５は、鏡筒本体２０に固定されたフォーカスモータ３６の軸３６ａに固定されている。フォーカスモータ３６が駆動して軸３６ａが回転すると、ボールネジ３３が回転し、フォーカスレンズ群２４を保持したレンズ枠３０、つまりフォーカスレンズユニット２８が光軸方向に移動する。
【００２６】
フォーカスレンズユニット２８の後方には、ＣＣＤ２５が配置されている。ＣＣＤ２５は、側部を覆われるようにして仕切板４０に保持されており、ＣＣＤ２５の後面は露呈されている。仕切板４０は、円板状に形成され、中央部にはＣＣＤ２５への被写体光を通過させる開口４０ａが形成されている。仕切板４０は放熱性の高い材料で形成されている。ＣＣＤ２５の前方には、図示しないシャッタ機構や絞り機構が配置されている。なお、ＣＣＤの後面を放熱性の高い保持板に固定し、この保持板の一部を仕切板に固定することによって、ＣＣＤを保持する構造としてもよい。
【００２７】
レンズ鏡筒４内は、フォーカスレンズユニット２８と仕切板４０との間に形成される第１空間４３、仕切板４０と後壁部２２ａとの間に形成される第２空間４４、固定レンズ群２３とフォーカスレンズユニット２８との間に形成される第３空間４５に分けられる。
【００２８】
ＣＣＤ２５の後方には、各種回路が実装された実装基板２６が配置されており、この実装基板２６はＣＣＤ２５と平行にされている。実装基板２６は、実装面が前方に向けられ、裏面が円板状の保持板４１に固定されている。実装基板２６及び保持板４１は、放熱性の高い材料で形成されている。
【００２９】
実装基板２６には、それぞれ詳細を後述するアナログ信号処理回路７４（図５参照）、Ａ／Ｄ変換回路７５、データ通信回路７６、ＣＣＤ駆動回路７３、レンズ鏡筒用ＣＰＵ７１、フォーカスモータ駆動回路７２などが実装されている。なお、前述した回路のうち一部の回路をカメラ本体３側に設けることとしてもよい。また、本実施形態ではカメラ本体３側に設けている回路を、レンズ鏡筒４側の実装基板２６に追加して実装することとしてもよい。例えば、デジタル信号処理回路７９（図５参照）を実装基板２６に追加して実装してもよい。
【００３０】
ＣＣＤ２５と実装基板２６との間には放熱フィン４２が設けられている。放熱フィン４２は並列に並べられた複数枚の金属板から構成され、これらの金属板は後述する通気口４６ｂと通気口４７ｂを結ぶ線と平行にされている。放熱フィン４２は、ＣＣＤ２５の後面と実装基板２６の実装面（前面）に接触している。図３は、仕切板４０、ＣＣＤ２５、及び放熱フィン４２を取り出して、後面側から見たときの斜視図である。
【００３１】
図２に示すように、内筒２１と外筒２２の間には、第１通路４６及び第２通路４７が形成されている。図４に示すように、各通路４６，４７は、内筒２１の外周面で軸方向に延びるように形成された溝であり、内筒２１を外筒２２に嵌め込んだ状態で管状にされるものである。溝の端部は内筒２１の径方向で貫通しており、この貫通孔の開口が第１通路４６の通気口４６ａ，４６ｂ、及び第２通路４７の通気口４７ａ，４７ｂとされる。
【００３２】
図２に示すように、第１通路４６の前方の通気口４６ａはフォーカスレンズユニット２８と仕切板４０との間に配置され、第１通路４６の後方の通気口４６ｂは仕切板４０より後方に配置される。これにより、第１通路４６によって、第１空間４３と第２空間４４とが連通する。
【００３３】
第２通路４７の前方の通気口４７ａは固定レンズ群２３とフォーカスレンズユニット２８との間に配置され、第２通路４７の後方の通気口４７ｂは仕切板４０より後方に配置される。これにより、第２通路４７によって、第２空間４４と第３空間４５とが連通する。第１通路４６の通気口４６ｂと第２通路４７の通気口４７ｂとは、放熱フィン４２を介して対面して配置される。これにより、第２空間４４内に空気の流れが生じたときに、空気の流れが放熱フィン４２近傍を通過することになる。
【００３４】
図５のブロック図に示すように、フォーカスモータ３６は、フォーカスモータ駆動回路７２に接続されており、フォーカスモータ駆動回路７２を介してレンズ鏡筒用ＣＰＵ７１によって駆動を制御されている。レンズ鏡筒用ＣＰＵは、ＣＣＤ２５から出力された撮像信号に基づいて画像のコントラストを評価してフォーカスモータ３６の移動量を算出する。
【００３５】
ＣＣＤ２５は、ＣＣＤ駆動回路７３に接続されており、ＣＣＤ駆動回路７３を介してレンズ鏡筒用ＣＰＵ７１によって駆動を制御される。ＣＣＤ２５は、光学的な被写体画像を電気的な撮像信号に変換して出力する。ＣＣＤ２５から出力された撮像信号はアナログ信号処理回路７４に入力される。アナログ信号処理回路７４は、相関二重サンプリングを行うことによって信号からノイズを除去する機能や、信号を増幅する機能を備え、撮像信号に対してこれらの処理を施してから出力する。
【００３６】
適当なレベルに増幅された撮像信号は、Ａ／Ｄ変換回路７５によってデジタル変換されて画像データとなる。この画像データは、データ通信回路７６を介してカメラ本体３側へと送信される。レンズ鏡筒用ＣＰＵ７１は、カメラ本体用ＣＰＵ８５と交信しながら、レンズ鏡筒４側の撮影処理や画像処理等を管制する。
【００３７】
レンズ鏡筒４からの画像データは、データ通信回路７７を介してメモリ７８に書き込まれる。デジタル信号処理回路７９は、メモリ７８から画像データを読み出し、階調変換、ホワイトバランス補正、γ補正等の処理を施す。各種処理が施された画像データはＬＣＤ駆動回路８０へ入力され、ＬＣＤ８１にスルー画として表示される。
【００３８】
レリーズボタン１２が全押しされたときには、メディアコントローラ８２の制御によって、各種処理が施された画像データが記録メディア８３に記録される。また、レリーズボタン１２が全押しされると、撮影環境からの光量に応じてストロボ１４が駆動される。カメラ本体用ＣＰＵ８５は、レンズ鏡筒用ＣＰＵ７１と交信しながら、カメラ本体４側の撮影処理、画像表示処理、記録処理等を管制する。カメラ本体用ＣＰＵ８５には、レリーズボタン１２、モード切替部１３、及び電源スイッチ８７が接続されている。
【００３９】
カメラ本体３にはバッテリ８６が配置され、カメラ本体３の各部に電力を供給している。また、このバッテリ８６は、接続端子１５、１６を介してレンズ鏡筒４に接続されており、レンズ鏡筒４の各部にも電力を供給している。
【００４０】
以下、上記構成による作用について説明する。レンズ鏡筒４をカメラ本体３に装着すると、レンズ鏡筒４とカメラ本体３とが電気的に接続される。
【００４１】
カメラ本体３の電源スイッチ８７をオンにし、モード切替部１３を操作して撮影モードに設定すると、撮影が可能な状態となる。ＬＣＤ８１には、スルー画が表示される。レリーズボタン１２を半押しするとピント合わせが行われ、全押しすると撮影が行われてその時点で得られた画像データが記録メディア８３に記録される。
【００４２】
上記の撮影動作に伴い、レンズ鏡筒４内のＣＣＤ２５及び実装基板２６が発熱する。ＣＣＤ２５の熱は、放熱フィン４２を介して、またはＣＣＤ２５の後面から直接に、第２空間４４の空気へ伝達される。また、実装基板２６の熱は、放熱フィン４２を介して、または実装面から直接に、第２空間４４の空気へ伝達される。これにより、第２空間４４の放熱フィン４２近傍の空気が熱せられる。
【００４３】
ピント合わせが行われるときには、図６に示すように、フォーカスレンズユニット２８が、内筒２１の内周面に接した状態で後方向（図中左方向）または前方向（図中右方向）に移動する。図６（Ａ）に示すように、フォーカスレンズユニット２８が後方向に移動すると、第１空間４３の空気が圧縮されて気圧が上がり、第３空間４５の気圧が下がる。これにより、第１通路４６を介して第２空間４４に空気が流入し、第２通路４７を介して第２空間４４から空気が流出する。第２空間４４には空気の流れが生じ、放熱フィン４２近傍の熱せられた空気の一部が第２通路４７及び第３空間４５へと移動し、熱せられた空気が分散される。これにより、ＣＣＤ２５及び実装基板２６が効率よく冷却される。
【００４４】
一方、図６（Ｂ）に示すように、フォーカスレンズユニット２８が前方向に移動すると、第３空間４５の気圧が上がり、第１空間４３の気圧が下がる。これにより、第２通路４７を介して第２空間４４に空気が流入し、第１通路４６を介して第２空間４４から空気が流出する。第２空間４４には空気の流れが生じ、放熱フィン４２近傍の熱せられた空気の一部が第１通路４６及び第１空間４３へと移動し、熱せられた空気が分散される。これにより、ＣＣＤ２５及び実装基板２６が効率よく冷却される。
【００４５】
このように、ＣＣＤ２５及び実装基板２６が効率よく冷却されるため、ＣＣＤ２５及び実装基板２６が高い温度に上昇することがなく、これらの性能が低下することはない。
【００４６】
［第２実施形態］
第１実施形態で説明したレンズ鏡筒４とは別の構成のレンズ鏡筒を第２実施形態に示す。第２実施形態の説明においては、第１実施形態と同様の構成要素に関しては同一の符号を付し、その説明を省略する。
【００４７】
図７に示すように、第２実施形態のレンズ鏡筒１００では、第１実施形態の鏡筒本体２０の替わりに鏡筒本体１０１を用いている。また、第１実施形態の第１通路４６の替わりに通気孔４０ｂを形成し、第１実施形態の第２通路４７の替わりに放熱管１０２を用いている。
【００４８】
鏡筒本体１０１は、円筒状に形成されており、内側にはフォーカスレンズユニット２８や、固定レンズ群２３などが配置されている。鏡筒本体１０１には、後壁部１０１ａが形成され、この後壁部１０１ａによって後端が閉じられている。放熱管１０２は、鏡筒本体１０１の外周面に螺旋状に巻かれて配設されている。放熱管１０２の前方の端部１０２ａは、鏡筒本体１０１に形成された貫通孔１０３に挿入されて、固定レンズ群２３とフォーカスレンズユニット２８との間に位置している。また、放熱管１０２の後方の端部１０２ｂは、鏡筒本体１０１に形成された貫通孔１０４に挿入されて、仕切板４０の後方に位置している。放熱管１０２によって、第２空間４４と第３空間４５とが連通する。通気孔４０ｂは仕切板４０に貫通して形成されている。通気孔４０ｂによって、第１空間４３と第２空間４４とが連通する。
【００４９】
通気孔４０ｂと、放熱管１０２の端部１０２ｂとは、放熱フィン４２を介して互いに反対側に配置される。これにより、第２空間４４に空気の流れが生じたときに、空気の流れが放熱フィン４２近傍を通過することになる。
【００５０】
フォーカスレンズユニット２８が後方向に移動すると、通気孔４０ｂを介して第２空間４４に空気が流入し、放熱管１０２を介して第２空間４４から空気が流出する。第２空間４４には空気の流れが生じ、放熱フィン４２近傍の熱せられた空気が放熱管１０２へと移動する。放熱管１０２へと移動した空気の熱は、放熱管１０２の外面から外部空気へと放射される。これにより、ＣＣＤ２５及び実装基板２６が効率よく冷却される。
【００５１】
一方、フォーカスレンズユニット２８が前方向に移動すると、放熱管１０２を介して第２空間４４に空気が流入し、通気孔４０ｂを介して第２空間４４から空気が流出する。第２空間４４には空気の流れが生じ、放熱フィン４２近傍の熱せられた空気が第１空間４３へと移動し、熱せられた空気が分散される。これにより、ＣＣＤ２５及び実装基板２６が効率よく冷却される。
【００５２】
第２実施形態では放熱管１０２を用いているため、冷却効率が高く、放熱性を重視した設計を行う場合に有効である。
【００５３】
［第３実施形態］
第１及び第２実施形態で説明したレンズ鏡筒４とは別の構成のレンズ鏡筒を第３実施形態に示す。第３実施形態の説明においては、第１実施形態と同様の構成要素に関しては同一の符号を付し、その説明を省略する。
【００５４】
図８に示すように、第３実施形態のレンズ鏡筒２００では、第１実施形態の鏡筒本体２０の替わりに鏡筒本体２０１を用いている。鏡筒本体２０１には通気孔２０２、２０３が形成されており、仕切部４０には通気孔４０ｂが形成されている。
【００５５】
鏡筒本体２０１は、円筒状に形成されており、内側には、フォーカスレンズユニット２８や、固定レンズ群２３などが配置されている。鏡筒本体２０１には、後壁部２０１ａが形成され、この後壁部２０１ａによって後端が閉じられている。通気孔２０２は、固定レンズ群２３とフォーカスレンズユニット２８との間に形成されている。通気孔２０３は、仕切板４０より後方に形成されている。これにより、第２空間４４及び第３空間４５がそれぞれ外部空気に連通する。通気孔４０ｂは、仕切板４０に貫通して形成されている。通気孔４０ｂによって、第１空間４３と第２空間４４とが連通する。
【００５６】
通気孔４０ｂと、通気孔２０３とは、放熱フィン４２を中心にして互いに反対側に配置される。これにより、第２空間４４に空気の流れが生じたときに、空気の流れが放熱フィン４２近傍を通過することになる。なお、鏡筒本体２０１の内周面には、通気孔２０２，２０３をそれぞれ内側から覆うようにして、透湿防水性を有するシート２０４，２０５が取り付けられている。これにより、レンズ鏡筒４内に水が浸入するのを防止するとともに、レンズ鏡筒４内の湿度を適度に保つことができる。
【００５７】
フォーカスレンズユニット２８が後方向に移動すると、通気孔４０ｂを介して第２空間４４に空気が流入し、通気孔２０３を介して第２空間４４から空気が流出する。第２空間４４には空気の流れが生じ、放熱フィン４２近傍の熱せられた空気が外部へと放出される。これにより、ＣＣＤ２５及び実装基板２６が効率的に冷却される。なお、第３空間４５には、通気孔２０２を介して外部空気が流入する。
【００５８】
一方、フォーカスレンズユニット２８が前方向に移動すると、通気孔４０ｂを介して第２空間４４から空気が流出し、通気孔２０３を介して第２空間４４に空気が流入する。第２空間４４には空気の流れが生じ、放熱フィン４２近傍の熱せられた空気の一部が第１空間４３へと移動し、熱せられた空気が分散される。これにより、ＣＣＤ２５及び実装基板２６が効率的に冷却される。
【００５９】
第３実施形態では、熱せられた空気を直接に外部へ放出することができるため、冷却効率が高くなる。
【００６０】
なお、上記実施形態（第１〜３実施形態）では、撮影準備時にのみフォーカスレンズユニットを移動させたが、撮影準備時以外、例えば再生モード時にフォーカスレンズユニットを移動させてもよい。
【００６１】
上記実施形態では、移動レンズユニットとしてフォーカスレンズユニットを用いたが、他のレンズユニット例えばズームレンズユニットを用いてもよい。
【００６２】
上記実施形態では、移動レンズユニットを鏡筒本体の内周面に密着させたが、第２部屋に空気の流れを生じさせることができれば多少の隙間が空いていてもよい。
【００６３】
上記実施形態では、移動レンズユニットを自動で移動させたが、手動で移動させてもよい。
【００６４】
上記実施形態では、レンズ鏡筒が着脱自在なレンズ交換式のデジタルカメラを用いて説明を行ったが、レンズ鏡筒とカメラ本体が一体化された形態のデジタルカメラにも本発明を適用することができる。
【図面の簡単な説明】
【００６５】
【図１】カメラシステムの外観斜視図である。
【図２】レンズ鏡筒を軸方向に切断したときの断面図である。
【図３】仕切板、ＣＣＤ及び放熱フィンの外観斜視図である。
【図４】内筒の外観斜視図である。
【図５】カメラシステムの電気的構成を示すブロック図である。
【図６】第３空間における空気の流れを示す説明図である。
【図７】第２の実施形態であってレンズ鏡筒を軸方向に切断したときの断面図である。
【図８】第３の実施形態であってレンズ鏡筒を軸方向に切断したときの断面図である。
【符号の説明】
【００６６】
２  カメラシステム
３  カメラ本体
４，１００，２００  レンズ鏡筒
２０，１０１，２０１  鏡筒本体
２１  内筒
２２  外筒
２２ａ，１０１ａ，２０１ａ  後壁部
２３  固定レンズ群
２４  フォーカスレンズ群
２５  ＣＣＤ
２６  実装基板
２８  フォーカスレンズユニット
３０  レンズ枠
４０  仕切板
４０ｂ  通気孔
４３  第１空間
４４  第２空間
４５  第３空間
４６  第１通気部
４７  第２通気部
１０２  放熱管
２０２  通気孔
２０３  通気孔
【図１】
2006267793.tif 000003
【図２】
2006267793.tif 000004
【図３】
2006267793.tif 000005
【図４】
2006267793.tif 000006
【図５】
2006267793.tif 000007
【図６】
2006267793.tif 000008
【図７】
2006267793.tif 000009
【図８】
2006267793.tif 000010